(57)【要約】【課題】無線リソースの利用効率を向上することである。【解決手段】通信制御装置１０は、トラヒック監視部１１とランク数算出部１２とランク値算出部１５と通信制御部１３とダウンロード部１６とを有する。トラヒック監視部１１は、コンテンツサーバと基地局との間のトラヒック量を監視する。ランク数算出部１２は、トラヒック監視部１１による監視結果に基づき、上記データのダウンロード先の移動局を決定するための基準となるランク値の数を算出する。ランク値算出部１５は、上記数と、上記複数の移動局の無線通信品質とを用いて、上記ランク値を、各移動局毎に算出する。通信制御部１３は、判定タイミングにおけるランク値の高い移動局から順に、ダウンロード先の移動局を決定する。ダウンロード部１６は、ダウンロード先に決定された移動局に対し、上記データをダウンロードする。【選択図】図１
2015012541.tif 000002
【特許請求の範囲】
【請求項１】
複数の移動局にデータをダウンロードするサーバと基地局との間のトラヒック量を監視する監視部と、
前記監視部による監視結果に基づき、前記データのダウンロード先の移動局を決定するための基準となる値の段階数を算出する数算出部と、
前記数算出部により算出された前記段階数と、前記複数の移動局の無線通信品質とを用いて、前記値を、各移動局毎に算出する値算出部と、
前記値算出部により算出された、第１の時点における前記値の高い移動局から順に、ダウンロード先の移動局を決定する決定部と、
前記決定部によりダウンロード先に決定された移動局に対し、前記データをダウンロードする制御部と
を有することを特徴とする通信制御装置。
【請求項２】
前記決定部は、前記第１の時点における前記値が所定値以上の移動局を、前記ダウンロード先の移動局に決定することを特徴とする請求項１に記載の通信制御装置。
【請求項３】
前記数算出部は、前記複数の移動局の無線通信品質の所定時間における最大値及び最小値と、前記段階数とを用いて、複数の前記値の境界値である閾値を、各移動局毎に算出し、
前記値算出部は、各移動局の無線通信品質が、前記数算出部により算出された前記閾値以上であるか否かに基づき、前記値を、各移動局毎に算出することを特徴とする請求項１に記載の通信制御装置。
【請求項４】
通信制御装置との間で通信を行う移動局であって、
複数の移動局にデータをダウンロードするサーバと基地局との間のトラヒック量の監視結果に基づいて算出された、前記データのダウンロード先の移動局を決定するための基準となる値の段階数と、前記移動局の無線通信品質とを用いて、前記値を算出する算出部と、
前記算出部により算出された、第１の時点における前記値が、前記通信制御装置から通知された所定値以上であるか否かに基づき、前記ダウンロードの実行の可否を判定する判定部と、
前記判定部により、前記ダウンロードが実行可能であると判定された場合、前記通信制御装置からダウンロードされるデータを受信する受信部と
を有することを特徴とする移動局。
【請求項５】
通信制御装置が、
複数の移動局にデータをダウンロードするサーバと基地局との間のトラヒック量を監視し、
前記監視の結果に基づき、前記データのダウンロード先の移動局を決定するための基準となる値の段階数を算出し、
算出された前記段階数と、前記複数の移動局の無線通信品質とを用いて、前記値を、各移動局毎に算出し、
算出された、第１の時点における前記値の高い移動局から順に、ダウンロード先の移動局を決定し、
ダウンロード先に決定された移動局に対し、前記データをダウンロードする制御を行う
ことを特徴とする通信制御方法。
【発明の詳細な説明】
【技術分野】
【０００１】
本発明は、通信制御装置、移動局、及び通信制御方法に関する。
【背景技術】
【０００２】
近年、無線通信技術の発達に伴い、従来のＷ−ＣＤＭＡ（Wideband-Code  Division  Multiple  Access）等の無線通信方式に加えて、ＬＴＥ（Long  Term  Evolution）やＬＴＥ  Advancedといった新しい方式を用いた無線通信技術が普及しつつある。無線通信の分野では、移動局と基地局との間の限られた無線リソースを効率的に活用するための様々な技術が開発されている。この様な技術の１つとして、例えば、制御装置が、各移動局の無線通信品質を、所定のエリア毎に取得しておき、品質の良好なエリア内でのみ移動局が通信を行う様に、基地局と移動局間の無線通信を制御する技術がある。これにより、無線通信のオペレータ側では、無線リソースを有効活用することができると共に、ユーザにとっても、移動局の消費電力が抑制されるという効果が得られる。
【先行技術文献】
【特許文献】
【０００３】
【特許文献１】特開２０１０−２１３３３８号公報
【特許文献２】特開２００４−２９７４７９号公報
【発明の概要】
【発明が解決しようとする課題】
【０００４】
上述した制御装置は、基地局のサービスエリアを区切ってグリッド状のエリアを複数設定し、これらのグリッド毎に、ＳＩＲ（Signal  to  Interference  Ratio）等の無線通信品質を示す情報を事前に収集する。そして、移動局がデータのダウンロード等を要求した際には、制御装置は、移動局の測定した無線通信品質と、該移動局の位置するグリッドの無線通信品質とを比較し、該比較結果に基づき、上記移動局へのダウンロードを実行するか否かを判定する。しかしながら、かかる判定処理は、移動局側の通信品質に基づいて行われるため、必ずしも、ネットワーク側のトラヒック状態に適したダウンロード制御が実行されるとは限らない。このため、特に、基地局に接続する移動局数が多い場合等には、１移動局当たりに割当て可能な無線リソース量が少なくなることから、上記ダウンロード制御により、各移動局がダウンロードに要する時間は長くなる。このことが、無線リソースの効率的な利用を阻害する要因となっていた。
【０００５】
開示の技術は、上記に鑑みてなされたものであって、無線リソースの利用効率を向上することのできる通信制御装置、移動局、及び通信制御方法を提供することを目的とする。
【課題を解決するための手段】
【０００６】
上述した課題を解決し、目的を達成するために、本願の開示する通信制御装置は、一つの態様において、監視部と数算出部と値算出部と決定部と制御部とを有する。前記監視部は、複数の移動局にデータをダウンロードするサーバと基地局との間のトラヒック量を監視する。前記数算出部は、前記監視部による監視結果に基づき、前記データのダウンロード先の移動局を決定するための基準となる値の段階数を算出する。前記値算出部は、前記数算出部により算出された前記段階数と、前記複数の移動局の無線通信品質とを用いて、前記値を、各移動局毎に算出する。前記決定部は、前記値算出部により算出された、第１の時点における前記値の高い移動局から順に、ダウンロード先の移動局を決定する。前記制御部は、前記決定部によりダウンロード先に決定された移動局に対し、前記データをダウンロードする。
【発明の効果】
【０００７】
本願の開示する通信制御装置の一つの態様によれば、無線リソースの利用効率を向上することができる。
【図面の簡単な説明】
【０００８】
【図１】図１は、通信制御装置の機能的構成を示すブロック図である。
【図２】図２は、移動局の機能的構成を示すブロック図である。
【図３】図３は、通信制御装置のハードウェア構成を示すブロック図である。
【図４】図４は、移動局のハードウェア構成を示すブロック図である。
【図５】図５は、通信制御装置の動作を説明するためのフローチャートである。
【図６】図６は、移動局の動作を説明するためのフローチャートである。
【図７】図７は、コンテンツサーバと基地局との間におけるダウンロード制御の概要を説明するための図である。
【図８】図８は、従来におけるダウンロード制御を説明するための図である。
【図９】図９は、本実施例におけるダウンロード制御を説明するための図である。
【発明を実施するための形態】
【０００９】
以下に、本願の開示する通信制御装置、移動局、及び通信制御方法の実施例を、図面を参照しながら詳細に説明する。なお、以下の実施例により本願の開示する通信制御装置、移動局、及び通信制御方法が限定されるものではない。
【００１０】
以下、本願の開示する一実施例に係る通信制御装置の構成を説明する。図１は、通信制御装置１０の機能的構成を示すブロック図である。図１に示す様に、通信制御装置１０は、トラヒック監視部１１と、ランク数算出部１２と、通信制御部１３と、ランク値変換用ＤＢ１４と、ランク値算出部１５と、ダウンロード部１６とを有する。これら各構成部分は、一方向又は双方向に、信号やデータの入出力が可能な様に接続されている。
【００１１】
トラヒック監視部１１は、データのダウンロード元であるコンテンツサーバ３０と基地局４０との間のトラヒック量を常時監視しており、トラヒック量が所定値以上となった場合に、ランク数算出部１２に対し、ランク数の算出を指示する。ランク数算出部１２は、後述する所定の算定式に基づき、減少すべきトラヒックの割合に応じたランク数と閾値とを算出する。通信制御部１３は、移動局２０から送信される無線通信品質情報を受信し、該情報をランク値算出部１５に出力する。通信制御部１３は、ダウンロード用のリソースの割当て先となる移動局を決定する時、該時点（以下、「判定タイミング」と記す。）におけるランク値を移動局毎に比較する。通信制御部１３は、該比較の結果、上位のランク値を有する移動局から所定数分の移動局を、ダウンロード対象（ダウンロードＯＮ）として選定する。
【００１２】
ランク値変換用ＤＢ１４は、上記無線通信品質情報が属するランクを特定するための情報を、各移動局毎に記憶する。ランク値算出部１５は、ランク値変換用ＤＢ１４に記憶された情報を参照して、上記無線通信品質情報をランク値に変換し、該ランク値を通信制御部１３に出力する。ダウンロード部１６は、通信制御部１３から入力される、ダウンロードのＯＮ／ＯＦＦ情報に従い、ダウンロード対象として選定された各移動局に対するデータのダウンロードを実行する。
【００１３】
上述したランク値の算出は、移動局２０が行ってもよい。図２は、移動局２０の機能的構成を示すブロック図である。図２に示す様に、移動局２０は、受信部２１と、ランク値算出部２２と、ダウンロード判定部２３と、送信部２４とを有する。これら各構成部分は、一方向又は双方向に、信号やデータの入出力が可能な様に接続されている。
【００１４】
受信部２１は、移動局２０におけるＳＩＲ等の無線通信品質を測定する。ランク値算出部２２は、受信部２１により測定された無線通信品質（過去の最大値と最小値）と、通信制御装置１０から通知されたランク数とを基に閾値を設定し、上記判定タイミングにおける無線通信品質が属するランク値を算出する。ダウンロード判定部２３は、ダウンロード対象（ダウンロードＯＮ）となる移動局のランク値を通信制御装置１０から事前に通知されている場合、該ランク値に基づき、ダウンロードのＯＮまたはＯＦＦを判定する。送信部２４は、ダウンロード判定部２３による判定結果を、通信制御装置１０に通知する。
【００１５】
なお、ランク値の算出を、移動局２０ではなく通信制御装置１０が行う場合には、移動局２０は、ランク値の算出とダウンロードのＯＮ／ＯＦＦ判定とを行うことなく、受信部２１により測定された無線通信品質を、通信制御装置１０に通知する。
【００１６】
続いて、通信制御装置１０及び移動局２０のハードウェア構成を説明する。図３は、通信制御装置１０のハードウェア構成を示すブロック図である。図３に示す様に、通信制御装置１０においては、ＣＰＵ（Central  Processing  Unit）１０ｂと、ＳＤＲＡＭ（Synchronous  Dynamic  Random  Access  Memory）１０ｃと、ＨＤＤ（Hard  Disk  Drive）１０ｄと、ＮＷ（NetWork）ボード１０ｅとが、スイッチ１０ａを介して各種信号やデータの入出力が可能な様に接続されている。通信制御装置１０の機能的構成とハードウェア構成との対応関係に関し、通信制御装置１０のランク値変換用ＤＢ１４は、例えば、ＨＤＤ１０ｄにより実現される。また、トラヒック監視部１１と、ランク数算出部１２と、通信制御部１３と、ランク値算出部１５とは、例えば、ＣＰＵ１０ｂにより実現される。更に、ダウンロード部１６は、例えば、ＣＰＵ１０ｂとＮＷボード１０ｅとにより実現される。
【００１７】
移動局２０は、例えば、スマートフォン等の携帯型端末によって実現される。図４は、移動局２０のハードウェア構成を示すブロック図である。図４に示す様に、移動局２０は、ハードウェア的には、ＣＰＵ２０ａと、メモリ２０ｂと、ＲＦ（Radio  Frequency）回路２０ｃと、表示装置２０ｄとを有する。ＲＦ回路２０ｃは、アンテナＡ１、Ａ２を有する。メモリ２０ｂは、例えば、ＳＤＲＡＭ等のＲＡＭ、ＲＯＭ、フラッシュメモリである。表示装置２０ｄは、例えば、ＬＣＤ（Liquid  Crystal  Display）、ＥＬ（Electro  Luminescence）である。機能的構成とハードウェア構成との対応関係に関し、図２に示した各機能的構成要素の内、ランク値算出部２２とダウンロード判定部２３とは、例えばＣＰＵ２０ａ等の集積回路により実現される。また、受信部２１と送信部２４とは、ＲＦ回路２０ｃにより実現される。
【００１８】
次に、動作を説明する。
【００１９】
まず、本実施例における通信制御装置１０の動作を説明する。図５は、通信制御装置１０の動作を説明するためのフローチャートである。Ｓ１では、通信制御装置１０のトラヒック監視部１１は、移動局２０を含む各移動局へのダウンロードに伴うトラヒックの総量を測定する。該測定の結果、総トラヒック量が、ネットワーク側の許容する所定容量（例えば、１００ＭＢ）の範囲内である場合（Ｓ２；Ｙｅｓ）、トラヒック監視部１１は、収容する全ての移動局に対するダウンロードが可能であると判断し、処理を終了する。
【００２０】
上記測定の結果、Ｓ１で測定された総トラヒック量が、ネットワーク側の許容する所定容量の範囲を超える場合（Ｓ２；Ｎｏ）には、通信制御装置１０のランク数算出部１２は、後述する所定の算定式に基づき、上記ランク数を算出する（Ｓ３）。なお、移動局２０がダウンロードのＯＮ／ＯＦＦ判定を行う場合には、通信制御装置１０は、ランク数に加えて、ダウンロードをＯＮとする下限のランク値の算出も行う。
【００２１】
Ｓ４では、通信制御装置１０のダウンロード部１６は、Ｓ３で算出されたランク数及びランク値を、ダウンロード制御情報として、移動局２０に通知する。これにより、移動局２０は、ダウンロードのＯＮ／ＯＦＦ判定を自局が行う場合であっても、自局の算出したランク値がダウンロード実行可能な値であるか否かを、正確に判定することができる。
【００２２】
次に、本実施例における移動局２０の動作を説明する。図６は、移動局２０の動作を説明するためのフローチャートである。Ｔ１では、移動局２０の受信部２１は、通信制御装置１０から送信される上記ランク数の受信を待機する。受信部２１は、ランク数の受信を検知すると、移動局２０、基地局４０間における無線通信品質の測定を行う（Ｔ２）。Ｔ３では、移動局２０の受信部２１は、通信制御装置１０から送信される上記ランク値の受信を監視する。該監視の結果、ランク値の受信が検知されると（Ｔ３；Ｙｅｓ）、移動局２０のダウンロード判定部２３は、Ｔ１で受信されたランク数と、Ｔ３で受信されたランク値とに基づき、ダウンロードのＯＮまたはＯＦＦを判定する（Ｔ４）。Ｔ５では、移動局２０の送信部２４は、ダウンロード判定部２３による判定結果を、通信制御装置１０に通知する。
【００２３】
なお、上記Ｔ３における判定の結果、所定時間の間、ランク値の受信が検知されない場合（Ｔ３；Ｎｏ）には、上記Ｔ４の処理は省略される。すなわち、移動局２０の送信部２４は、上記Ｔ２における無線通信品質（例えば、ＳＩＲ）の測定結果のみを、通信制御装置１０に通知する。
【００２４】
続いて、図７〜図９を参照し、通信制御装置１０の実行するダウンロード制御について、より詳細に説明する。図７は、コンテンツサーバ３０と基地局４０との間におけるダウンロード制御の概要を説明するための図である。図７に示す様に、通信制御装置１０は、コンテンツサーバ３０から配信されるダウンロード対象のコンテンツデータＤ１を中継し、基地局４０宛に送信する。送信に先立ち、通信制御装置１０は、算出された各移動局のランク値を基に、ダウンロードのＯＮまたはＯＦＦを、移動局毎に決定する。通信制御装置１０は、ダウンロードＯＮの移動局（例えば、移動局２０）に対してのみ、コンテンツデータＤ１の転送を行う。
【００２５】
換言すれば、通信制御装置１０は、ダウンロードＯＮかＯＦＦかに限らず、その中間の状態を段階的に設定して、ランク値で表現することにより、ランク値の高い移動局から順に優先的に、ダウンロード用のリソースを割り当てる。これにより、コンテンツデータＤ１のダウンロード先の移動局の絞込みが実現される。従って、要求のあった全ての移動局に対してダウンロードを行っていた従来の方法と比較して、ダウンロード用のリソースの効率的な配分が可能となる。その結果、無線リソースの利用効率が向上する。
【００２６】
図８は、従来におけるダウンロード制御を説明するための図である。図８に示す様に、従来のダウンロード制御では、時間ｔ１の様に、全ての移動局２０−１〜２０−３においてダウンロードＯＮの状態が重なることがある。この場合、ネットワーク側が割当て可能な無線リソースの量によっては、全ての移動局２０−１〜２０−３に対して、十分なリソースが割り当てられないことがある。
【００２７】
すなわち、従来のダウンロード制御では、各移動局２０−１〜２０−３が、自局の測定した無線通信品質に基づき、個別にＯＮとＯＦＦの制御を行う。このため、ネットワーク側のトラヒック状態等、無線通信システムの状況に適したダウンロード制御が実行されるとは限らない。従って、例えば、基地局４０の収容している移動局数が多い場合、各移動局に割り当てられるリソース（単位移動局当たりの無線リソース量）が少なくなることから、従来のダウンロード制御の適用によっては、各移動局がダウンロードを終了するまでの時間が非常に長くなる。その結果、ダウンロード制御の実行によって、反って、無線リソースの利用効率が低下してしまうことが懸念される。
【００２８】
そこで、本実施例に係る通信制御装置１０は、ネットワーク側のトラヒック状態を考慮に入れて、ダウンロード制御を行う。図９は、本実施例におけるダウンロード制御を説明するための図である。図９では、ｘ軸方向に時間ｔが規定され、ｙ軸方向にランク値Ｒが規定されている。例えば、図９に示す様に、判定タイミングが時間ｔ２である場合、移動局２０−１のランク値Ｒは“３”であり、移動局２０−３のランク値Ｒ＝２よりも大きい値をとる。また、移動局２０−２のランク値Ｒは、“０”である。従って、移動局２０−１、２０−３、２０−２の優先順位で、ダウンロードがＯＮとなる。
【００２９】
同様に、判定タイミングが時間ｔ３である場合、ランク値Ｒは、移動局２０−３、２０−２、２０−１の順に高いので、移動局２０−３、２０−２、２０−１の優先順位で、ダウンロード先が決定される。一方、判定タイミングが時間ｔ４である場合、移動局２０−２のランク値は“２”であるが、他の移動局２０−１、２０−３のランク値は“０”であるため、移動局２０−２が、優先的にダウンロード先として決定される。
【００３０】
以下、ダウンロードのＯＮまたはＯＦＦが移動局毎に決定される過程について、より詳細に説明する。
【００３１】
まず、ランク数の決定方法について説明する。ランク数ＮＲ（Number  of  Rank）は、例えば、下記算定式（１）により決定される。
【００３２】
ＮＲ＝１／ＲＴ  ・・・（１）
【００３３】
ここで、ＲＴ（Ratio  of  Traffic）は、基地局４０に流入するトラヒックの内、制限対象となるトラヒックの比率（減少割合）である。ＲＴは、上記総トラヒック量、あるいは、基地局４０の収容する移動局数をパラメータとして決定される。ＲＴは、例えば、１／５〜１／２であるが、総トラヒック量や移動局数が多い程、トラヒック量を減少させる必要性が高いことから、ＲＴは大きい値を採る。これにより、通信制御装置１０は、基地局４０の収容する移動局の内、ダウンロード対象（ダウンロードＯＮ）となる移動局を、よりランク値の高い所定数分の移動局に絞り込むことができる。
【００３４】
例えば、通信制御装置１０が、基地局４０に流入するトラヒックの量を、現時点のトラヒック量から３０％減らしたい場合（図７参照）、ランク数ＮＲは、１／０．３＝３．３３３・・・により、“３”に決定される。その結果、基地局４０に接続する各移動局に対し、３段階のランク分けが為されることとなる。また、通信制御装置１０が、基地局４０に流入するトラヒックの量を、現時点の８割に減らしたい場合には、ランク数ＮＲは、１／０．２＝５により、“５”に決定される。その結果、基地局４０に接続する各移動局に対し、５段階のランク分けが為されることとなる。
【００３５】
次に、閾値の設定方法について説明する。設定される閾値の数は、ランク数ＮＲ−１である。以下、ランク数ＮＲ＝３の場合に、２つのＳＩＲ閾値ＴＨ１、ＴＨ２が設定される場合を例示して説明する。ＳＩＲ閾値ＴＨ１、ＴＨ２は、例えば、下記算定式（２）、（３）により、それぞれ決定される。
【００３６】
ＴＨ１＝ＳＩＲＭＩＮ＋（ＳＩＲＭＡＸ−ＳＩＲＭＩＮ）／３  ・・・（２）
ＴＨ２＝ＳＩＲＭＩＮ＋２×（ＳＩＲＭＡＸ−ＳＩＲＭＩＮ）／３  ・・・（３）
【００３７】
ここで、ＳＩＲＭＩＮは、対応する移動局の過去の所定時間（例えば、１０分〜１時間程度）におけるＳＩＲの最小値であり、ＳＩＲＭＡＸは、対応する移動局の過去の所定時間（例えば、１０分〜１時間程度）におけるＳＩＲの最大値である。
【００３８】
次いで、ランク値Ｒの決定方法について説明する。ランク値Ｒは、移動局のＳＩＲが、上記各ＳＩＲ閾値ＴＨ１、ＴＨ２により得られたＳＩＲ範囲の内、何れの範囲に属するかに応じて決定される。例えば、ランク数ＮＲ＝３の場合、移動局２０の上記判定タイミングにおけるＳＩＲ値がＴＨ１未満の場合、ランク値Ｒは“１”に決定される。また、上記ＳＩＲ値がＴＨ１以上ＴＨ２未満の場合、ランク値Ｒは“２”に決定される。更に、上記ＳＩＲ値がＴＨ２以上の場合、ランク値Ｒは“３”に決定される。
【００３９】
次に、ダウンロードＯＮ／ＯＦＦの決定方法について説明する。各移動局におけるダウンロードがＯＮ、ＯＦＦの何れとなるかは、ランク値Ｒに基づき、決定される。このとき、ランク値Ｒが大きい値をとる移動局ほど、換言すれば、上位にランキングされた移動局であるほど、優先的に、ダウンロード対象（ＯＮ）の移動局に選定される。ランク値Ｒ＝１〜３の内、何れのランク値以上の移動局をダウンロードＯＮとするかは、上記ＲＴに応じて決定される。
【００４０】
例えば、通信制御装置１０は、ランク値Ｒ＝２以上の移動局をダウンロードＯＮとしても、上記ＲＴにより決定されるトラヒックの減少分（例えば、３０％）を満たすことができる場合には、ランク値Ｒ＝２以上の移動局をダウンロードＯＮとする。これにより、通信制御装置１０は、基地局４０に流入するトラヒックの量を、少なくとも所望の値（ＲＴの目標値）まで抑制することができる。これに対し、通信制御装置１０は、ランク値Ｒ＝２以上の移動局をダウンロードＯＮとすると、上記ＲＴにより決定されるトラヒックの減少分（例えば、３０％）に到達しない場合には、ランク値Ｒ＝３の移動局のみをダウンロードＯＮとする。この様な制御により、通信制御装置１０は、基地局４０に流入するトラヒックの量が所望量以下となる様な調整を図る。
【００４１】
以上説明した様に、本実施例に係る通信制御装置１０は、トラヒック監視部１１とランク数算出部１２とランク値算出部１５と通信制御部１３とダウンロード部１６とを有する。トラヒック監視部１１は、複数の移動局にデータをダウンロードするコンテンツサーバ３０と基地局４０との間のトラヒック量を監視する。ランク数算出部１２は、トラヒック監視部１１による監視結果に基づき、上記データのダウンロード先の移動局を決定するための基準となるランク値Ｒの段階数（ランク数ＮＲ）を算出する。ランク値算出部１５は、ランク数算出部１２により算出されたランク数ＮＲと、上記複数の移動局の無線通信品質とを用いて、上記ランク値Ｒを、各移動局毎に算出する。通信制御部１３は、ランク値算出部１５により算出された、判定タイミングｔ２におけるランク値Ｒの高い移動局から順に、ダウンロード先の移動局を決定する。ダウンロード部１６は、通信制御部１３によりダウンロード先に決定された移動局に対し、上記データをダウンロードする。
【００４２】
また、通信制御装置１０において、通信制御部１３は、判定タイミングｔ２におけるランク値Ｒが所定値（例えば、２）以上の移動局を、上記ダウンロード先の移動局に決定するものとしてもよい。
【００４３】
更に、通信制御装置１０において、ランク数算出部１２は、上記複数の移動局の無線通信品質の所定時間における最大値ＳＩＲＭＡＸ及び最小値ＳＩＲＭＩＮと、ランク数ＮＲとを用いて、複数のランク値Ｒの境界値である閾値ＴＨ１、ＴＨ２を、各移動局毎に算出するものとしてもよい。また、ランク値算出部１５は、各移動局の無線通信品質が、ランク数算出部１２により算出された上記閾値ＴＨ１、ＴＨ２以上であるか否かに基づき、ランク値Ｒを、各移動局毎に算出するものとしてもよい。
【００４４】
ランク値算出の主体は、移動局２０であってもよい。かかる態様では、移動局２０は、ランク値算出部２２とダウンロード判定部２３と受信部２１とを有する。ランク値算出部２２は、複数の移動局にデータをダウンロードするコンテンツサーバ３０と基地局４０との間のトラヒック量の監視結果に基づいて算出された、上記データのダウンロード先の移動局を決定するための基準となるランク値Ｒの段階数（ランク数ＮＲ）と、移動局２０の無線通信品質とを用いて、ランク値Ｒを算出する。ダウンロード判定部２３は、ランク値算出部２２により算出された、判定タイミングｔ２におけるランク値Ｒが、通信制御装置１０から通知された所定値（例えば、２）以上であるか否かに基づき、上記ダウンロードの実行の可否を判定する。受信部２１は、ダウンロード判定部２３により、上記ダウンロードが実行可能であると判定された場合、通信制御装置１０からダウンロードされるデータを受信する。
【００４５】
上述した様に、通信制御装置１０は、ダウンロードのＯＮ、ＯＦＦに加えて、その中間の状態を創設し、何れの移動局に対してダウンロードを実行するかの判定を行う時点（判定タイミング）でランク値の高い移動局から優先的に、ダウンロード用リソースを割り当てる。通信制御装置１０は、上記中間の状態を設定する際、上記判定タイミングにおける無線通信品質が、閾値により区切られた複数のランクの内、何れのランクに属するかを判定する。通信制御装置１０は、基地局４０の収容する移動局の内、ダウンロード対象のランク値（例えば、Ｒ＝２以上）を有する移動局に対してのみ、ダウンロードを実行する。これにより、通信制御装置１０は、無線リソースの利用効率を向上する観点から最適なダウンロード制御の実行を可能とする。
【００４６】
なお、上記実施例では、上記閾値ＴＨ１、ＴＨ２は、各移動局の無線通信品質の最大値及び最小値とランク数とを用いて、決定されるものとした。しかしながら、これに限らず、通信制御装置１０は、例えば、基地局４０から離れた位置に在圏する移動局ほど、低い閾値を用いる等、ランク数とは別の観点から、閾値を決定するものとしてもよい。あるいは、基地局４０からの距離に限らず、移動局の移動速度、他の移動局との干渉の程度、遮蔽物の有無、ＱｏＳ（Quality  of  Service）等、他のパラメータを指標として、通信制御装置１０は、上記閾値ＴＨ１、ＴＨ２の設定、及び各閾値を用いたランク値Ｒの決定を行うものとしてもよい。
【００４７】
また、上記実施例では、通信制御装置１０は、上記閾値ＴＨ１、ＴＨ２の設定に際し、“ＳＩＲＭＡＸ−ＴＨ２”と“ＴＨ２−ＴＨ１”と“ＴＨ１−ＳＩＲＭＩＮ”とが均等（同一の幅）となる様に、各閾値を設定するものとした。しかしながら、“ＳＩＲＭＡＸ−ＴＨ２”と“ＴＨ２−ＴＨ１”と“ＴＨ１−ＳＩＲＭＩＮ”とは、それぞれ異なる値であってもよい。例えば、通信制御装置１０のランク数算出部１２は、ＳＩＲＭＡＸ−ＴＨ２の値を、ＴＨ２−ＴＨ１、ＴＨ１−ＳＩＲＭＩＮの各値と比較して、大きな値に設定することで、ランク値“３”に属する移動局数を増加させることができる。これにより、リソースに余裕がある場合に、より多くの移動局が、ダウンロード先として選定され易くなる。反対に、通信制御装置１０のランク数算出部１２は、ＴＨ１−ＳＩＲＭＩＮの値を、ＳＩＲＭＡＸ−ＴＨ２、ＴＨ２−ＴＨ１の各値と比較して、大きな値に設定することで、ランク値“１”に属する移動局数を増加させることができる。これにより、リソースが過度に不足している場合に、通信制御装置１０は、より多くの移動局を、ダウンロード対象から除外するといった調整が可能となる。
【００４８】
更に、上述した不均等の閾値設定は、必ずしも全ての移動局に対して同様に行われる必要は無い。すなわち、通信制御装置１０は、基地局４０からの距離、移動速度、ＱｏＳ等の上記各種パラメータに基づき、閾値を不均等に設定する対象の移動局を個別に選択するものとしてもよい。これにより、各移動局の状態や周辺環境に即した、より柔軟性の高いダウンロード制御が可能となる。
【００４９】
また、上記実施例では、通信制御装置１０は、ランク数の決定に際し、ＮＲ＝１／ＲＴの算定式を用いるものとした。しかしながら、通信制御装置１０は、上記算定式以外にも、例えば、ＮＲ＝ｎ／ＲＴ（ｎは２以上の整数）を用いることで、上記ＲＴを多段階に制御することができる。これにより、基地局４０に流入するトラヒックの比率の微調整が可能となる。その結果、より過不足の少ない高効率的な無線リソースの割当てが実現される。
【００５０】
更に、上記実施例では、移動局２０として、スマートフォンを想定して説明したが、本発明は、スマートフォンに限らず、携帯電話、Personal  Digital  Assistant（ＰＤＡ）等、無線通信品質を測定可能な様々な通信機器に対して適用可能である。また、無線通信品質についても、ＳＩＲ値に限らず、電波強度を表すＲＳＳＩ（Received  Signal  Strength  Indication）値や、ＳＩＮＲ（Signal  to  Interference  and  Noise  Ratio）値、ＲＳＲＰ（Reference  Signal  Received  Power）値、ＲＳＲＱ（Reference  Signal  Received  Quality）値であってもよい。あるいは、ＣＱＩ（Channel  Quality  Indicator）、ＰＭＩ（Precoding  Matrix  Indicator）、ＲＩ（Rank  Indicator）、ＬＩ（Layer  Indicator）等のＣＳＩ（Channel  State  Information)であってもよい。
【００５１】
また、通信制御装置１０は、図７に示した様に、必ずしも独立した装置でなくてもよく、コンテンツサーバ３０内または基地局４０内に組み込まれるものとしてもよい。
【００５２】
更に、図１に示した通信制御装置１０の各構成要素は、必ずしも物理的に図示の如く構成されていることを要しない。すなわち、各装置の分散・統合の具体的態様は、図示のものに限らず、その全部又は一部を、各種の負荷や使用状況等に応じて、任意の単位で機能的又は物理的に分散・統合して構成することもできる。例えば、通信制御装置１０のトラヒック監視部１１とランク数算出部１２、あるいは、ランク数算出部１２とランク値算出部１５をそれぞれ１つの構成要素として統合してもよい。反対に、通信制御部１３に関し、判定タイミングにおける各移動局のランク値Ｒを比較する部分と、ランク値Ｒの比較結果に基づき、ダウンロード先の移動局を選定する部分とに分散してもよい。また、ＨＤＤ１０ｄを、通信制御装置１０の外部装置として、ネットワークやケーブル経由で接続する様にしてもよい。
【符号の説明】
【００５３】
１０  通信制御装置
１０ａ  スイッチ
１０ｂ  ＣＰＵ（Central  Processing  Unit）
１０ｃ  ＳＤＲＡＭ（Synchronous  Dynamic  Random  Access  Memory）
１０ｄ  ＨＤＤ（Hard  Disk  Drive）
１０ｅ  ＮＷ（NetWork）ボード
１１  トラヒック監視部
１２  ランク数算出部
１３  通信制御部
１４  ランク値変換用ＤＢ（DataBase）
１５  ランク値算出部
１６  ダウンロード部
２０、２０−１、２０−２、２０−３、・・・、２０−Ｎ  移動局
２０ａ  ＣＰＵ
２０ｂ  メモリ
２０ｃ  ＲＦ（Radio  Frequency）回路
２０ｄ  表示装置
２１  受信部
２２  ランク値算出部
２３  ダウンロード判定部
２４  送信部
３０  コンテンツサーバ
４０  基地局
Ａ１、Ａ２  アンテナ
Ｄ１、Ｄ１１、Ｄ１２、Ｄ１３、Ｄ２１、Ｄ２２、Ｄ３１、Ｄ３２  ダウンロードコンテンツデータ
Ｒ  ランク値
ｔ、ｔ１  時間
ｔ２、ｔ３、ｔ４  判定タイミング
【図１】
2015012541.tif 000003
【図２】
2015012541.tif 000004
【図３】
2015012541.tif 000005
【図４】
2015012541.tif 000006
【図５】
2015012541.tif 000007
【図６】
2015012541.tif 000008
【図７】
2015012541.tif 000009
【図８】
2015012541.tif 000010
【図９】
2015012541.tif 000011